(57)【特許請求の範囲】
【請求項１】
板体にトラス鉄筋を設け、上記トラス鉄筋の間でかつ水平鉄筋の下部に内部に発泡材が充填された袋体を設け、コンクリート中に上記トラス鉄筋、上記水平鉄筋および上記袋体を埋め込んだことを特徴とする建物防音構造。
【請求項２】
トラス鉄筋が設けられた板体上に袋体および水平鉄筋を設け、上記袋体内に発泡、固化して発泡材となる発泡固化液を噴射し、少なくともセメントを含む混合物を上記トラス鉄筋、上記水平鉄筋および上記袋体を埋め込むように打ち込み、乾燥、硬化させてコンクリートを設けることを特徴とする建物防音施工方法。
【発明の詳細な説明】
【０００１】
【発明の属する技術分野】
本発明は一戸建て住宅、集合住宅、商業ビル（事務所ビル）等の建物の床部等の建物防音構造および建物防音施工方法に関するものである。
【０００２】
【従来の技術】
図５は従来の建物の床部の建物防音構造を示す正断面図、図６は図５に示した建物防音構造を示す側断面図である。図に示すように、Ｈ型鋼（図示せず）等により支持された薄肉プレキャストコンクリート（ＰＣ）板等からなる板体１にトラス鉄筋２および水平鉄筋３ａが設けられ、板体１上のトラス鉄筋２の間でかつ水平鉄筋３ｂの下部に発泡スチロールからなる中空型枠４が設けられ、コンクリート５中にトラス鉄筋２、水平鉄筋３ｂおよび中空型枠４が埋め込まれている。なお、構造的強度を補う補強筋などが設けられる場合もある。
【０００３】
つぎに、図５、図６に示した建物防音構造にする建物防音施工方法を説明する。まず、トラス鉄筋２および水平鉄筋３ａが設けられた板体１上に中空型枠４を載置し、水平鉄筋３ｂを設けたのち、板体１上にセメント、粗骨材、水等を混合した混合物をトラス鉄筋２、水平鉄筋３ｂ、中空型枠４を埋め込むように打ち込み、乾燥、硬化させてコンクリート５を設ける。
【０００４】
この建物防音構造、建物防音施工方法においては、コンクリート５中に中空型枠４が埋め込まれるから、室内の衝撃音などが床部を介して下方に伝達される場合に、衝撃音などを減衰することができるので、上の室内から下の室内に伝達される騒音を小さくすることができる。また、床部を軽量化することができ、また床部を断熱構造にすることができる。
【０００５】
図６は従来の他の建物の床部の建物防音構造を示す断面図である。図に示すように、板体１上のトラス鉄筋２の間でかつ水平鉄筋３ｂの下部に金属からなる中空管１１が設けられ、コンクリート５中にトラス鉄筋２、水平鉄筋３ｂおよび中空管１１が埋め込まれている。
【０００６】
つぎに、図６に示した建物防音構造にする建物防音施工方法を説明する。まず、板体１上に中空管１１を載置し、水平鉄筋３ｂを設けたのち、板体１上にセメント、粗骨材、水等を混合した混合物をトラス鉄筋２、水平鉄筋３ｂ、中空管１１を埋め込むように打ち込み、乾燥、硬化させてコンクリート５を設ける。
【０００７】
この建物防音構造、建物防音施工方法においては、コンクリート５中に中空管１１が埋め込まれるから、室内の衝撃音などが床部を介して下方に伝達される場合に、衝撃音などを減衰することができるので、上の室内から下の室内に伝達される騒音を小さくすることができる。また、床部を軽量化することができ、また床部を断熱構造にすることができる。
【０００８】
【発明が解決しようとする課題】
しかし、このような建物防音構造、建物防音施工方法においては、板体１上に水平鉄筋３ｂを設ける作業を行なうときに、中空型枠４、中空管１１を損傷しないように注意して作業を行なう必要があるから、施工作業の能率が悪い。また、構造的強度を補う補強筋などが設けられた場合には、補強筋などの数が多いため、特に施工作業の能率が悪い。
【０００９】
本発明は上述の課題を解決するためになされたもので、施工作業を能率よく行なうことができる建物防音構造および建物防音施工方法を提供することを目的とする。
【００１０】
【課題を解決するための手段】
この目的を達成するため、本発明においては、建物防音構造において、板体にトラス鉄筋を設け、上記トラス鉄筋の間でかつ水平鉄筋の下部に内部に発泡材が充填された袋体を設け、コンクリート中に上記トラス鉄筋、上記水平鉄筋および上記袋体を埋め込む。
【００１１】
また、建物防音施工方法において、トラス鉄筋が設けられた板体上に袋体および水平鉄筋を設け、上記袋体内に発泡、固化して発泡材となる発泡固化液を噴射し、少なくともセメントを含む混合物を上記トラス鉄筋、上記水平鉄筋および上記袋体を埋め込むように打ち込み、乾燥、硬化させてコンクリートを設ける。
【００１２】
【発明の実施の形態】
図１は本発明に係る建物の床部の建物防音構造を示す断面図、図２は図１に示した建物の床部の建物防音構造の一部を示す拡大断面図である。図に示すように、板体１上のトラス鉄筋２の間でかつ水平鉄筋３ｂの下部に内部に発泡樹脂材（発泡材）２２が充填された紙からなる断面円形状の複数の袋体２１が設けられ、発泡樹脂材２２が充填された袋体２１の径は板体１と水平鉄筋３ｂとの距離よりも小さく、袋体２１の径は２００〜２５０ｍｍである。また、袋体２１に紙、樹脂フィルム等からなる複数の浮上防止ベルト２３が取り付けられ、浮上防止ベルト２３の両端部は板体１に接着により取り付けられている。また、コンクリート５中にトラス鉄筋２、水平鉄筋３ｂおよび袋体２１が埋め込まれている。
【００１３】
つぎに、図１、図２に示した建物防音構造にする建物防音施工方法すなわち本発明に係る建物の床部の建物防音施工方法を図３により説明する。まず、図３（ａ）に示すように、板体１上に袋体２１を載置し、浮上防止ベルト２３の両端部を板体１に接着により取り付けたのち、板体１上に水平鉄筋３ｂを設ける。つぎに、図３（ｂ）に示すように、袋体２１内に噴射後に発泡、固化して発泡樹脂材となる発泡固化液をスプレー装置を使用して噴射する。すなわち、ジフェニメタル・ジイソシアネート（ＭＤＩ）４０〜５０％、ポリメチレン・ポリフェニル・イソシアネート５０〜６０％からなる高分子ＭＤＩ（ＢＡＳＥＳＥＡＬ、Ｉｃｙｎｅｎｅ  Ｉｎｃ．製）すなわちＡ液と、アルカノールアミン、アルキルアミンを含む高分子樹脂添加剤（ＧＯＬＤＳＥＡＬ、Ｉｃｙｎｅｎｅ  Ｉｎｃ．製）すなわちＢ液とを混合した発泡固化液をスプレー装置を使用して袋体２１内に噴射する。この場合、Ａ液とＢ液とをスプレー装置内で混合して袋体２１内に噴射する。すると、発泡固化液が発泡、固化して発泡樹脂材２２となり、袋体２１内に発泡樹脂材２２が充填される。つぎに、図３（ｃ）に示すように、セメント、粗骨材、水等を混合した混合物をトラス鉄筋２、水平鉄筋３ｂおよび袋体２１を埋め込むように打ち込み、乾燥、硬化させてコンクリート５を設ける。この場合、内部に発泡樹脂材２２が充填された袋体２１の比重は上記混合物の比重よりも小さく、しかも袋体２１に複数の浮上防止ベルト２３が取り付けられ、浮上防止ベルト２３の両端部は板体１に取り付けられているから、発泡樹脂材２２が充填された袋体２１の下端が板体１から離れ、かつ袋体２１の上端が水平鉄筋３ｂからも離れた状態となる。
【００１４】
この建物防音構造、建物防音施工方法においては、コンクリート５中に発泡樹脂材２２が充填された複数の袋体２１が埋め込まれるから、室内の衝撃音などが床部を介して下方に伝達される場合に、衝撃音などを減衰することができるので、上の室内から下の室内に伝達される騒音を小さくすることができる。また、床部を軽量化することができ、また床部を断熱構造にすることができる。また、板体１上に水平鉄筋３ｂを設ける作業を行なうときに、作業員が袋体２１を踏んだとしても、袋体２１を損傷することがないから、何かを損傷しないように注意して作業を行なう必要がないので、施工作業を能率よく行なうことができる。また、発泡樹脂材２２が充填された袋体２１は板体１とは接触しないから、板体１とコンクリート５との接合面積が大きくなるので、建物の構造強度が大きい。また、袋体２１の内部に発泡樹脂材２２が充填されているから、コンクリート５の自然乾燥時に袋体２１の内部に水が浸入するすることも袋体２１の内部で結露することもないので、水抜きのための手段を設ける必要がなく、また水抜き作業を行なう必要がない。また、Ａ液とＢ液とを混合して袋体２１内に噴射して、袋体２１内に発泡樹脂材２２を充填しているから、コンクリート５の自然乾燥時に発泡樹脂材２２からコンクリート５に適度の水蒸気を継続的に与えることができるので、コンクリート５にクラックが発生するのを防止することができ、均一な仕上がりと強度を確保することができる。また、Ａ液とＢ液とを混合して袋体２１内に噴射して、袋体２１内に発泡樹脂材２２を充填しているから、コンクリート５に中空管１１を埋め込んだ場合と比較して遮音性、断熱性が優れている。また、袋体２１の下端が板体１から離れた状態となるから、袋体２１が水平鉄筋３ａのかぶり厚の領域内に入るのを防止することができるので、水平鉄筋３ａとコンクリートとの接触面積が小さくなることがないため、強度が小さくなることがない。また、袋体２１の上端が水平鉄筋３ｂから離れた状態となるから、袋体２１が水平鉄筋３ｂのかぶり厚の領域内に入るのを防止することができるので、水平鉄筋３ｂとコンクリート５との接触面積が小さくなることがないため、強度が小さくなることがない。
【００１５】
なお、この実施の形態においては、板体１上に袋体２１を載置したのち、板体１上に水平鉄筋３ｂを設け、袋体２１内に噴射後に発泡、固化して発泡樹脂材となる発泡固化液を噴射したが、板体１上に水平鉄筋３ｂを設けたのち、板体１上に袋体２１を載置し、袋体２１内に噴射後に発泡、固化して発泡樹脂材となる発泡固化液を噴射してもよい。この場合、板体１上に水平鉄筋３ｂを設ける作業を行なうときには、板体１上に何も載置されていないから、何かを損傷しないように注意して作業を行なう必要がなく、しかも袋体２１を板体１上のトラス鉄筋２の間でかつ水平鉄筋３ｂの下部に内部に設ける作業は容易に行なうことができるので、施工作業を能率よく行なうことができる。
【００１６】
図４は本発明に係る他の建物の床部の建物防音構造を示す断面図である。図に示すように、板体１上のトラス鉄筋２の間でかつ水平鉄筋３ｂの下部に内部に発泡樹脂材（発泡材）３３が充填された紙からなる断面が下に凸状の袋体３１、断面が上に凸状の袋体３２が設けられ、袋体３１、３２の上下方向寸法すなわち図４紙面上下方向寸法は板体１と水平鉄筋３ｂとの距離よりも小さい。また、袋体３１、３２に紙、樹脂フィルム等からなる複数の浮上防止ベルト３４が取り付けられ、浮上防止ベルト３４の両端部は板体１に接着により取り付けられている。また、コンクリート５中にトラス鉄筋２、水平鉄筋３ｂおよび袋体３１、３２が埋め込まれ、発泡樹脂材３３が充填された袋体３１、３２の下端が板体１から離れ、かつ袋体３１、３２の上端が水平鉄筋３ｂからも離れた状態となっている。
【００１７】
この建物防音構造においても、コンクリート５中に発泡樹脂材３３が充填された袋体３１、３２が埋め込まれるから、室内の衝撃音などが床部を介して下方に伝達される場合に、衝撃音などを減衰することができるので、上の室内から下の室内に伝達される騒音を小さくすることができる。また、床部を軽量化することができ、また床部を断熱構造にすることができる。また、板体１上に水平鉄筋３ｂを設ける作業を行なうときに、何かを損傷しないように注意して作業を行なう必要がないので、施工作業を能率よく行なうことができる。
【００１８】
なお、上述実施の形態においては、袋体２１、袋体３１、３２の上部に水平鉄筋３ｂを設けた場合について説明したが、この発明は袋体の上部に水平鉄筋および構造的強度を補う補強筋などが設けられた場合にも適用することができ、この場合には補強筋などの数が多いため、特に本発明の効果が顕著である。また、上述実施の形態においては、トラス鉄筋２の各間に１つの袋体２１を設けたが、トラス鉄筋の各間に複数の袋体を設けてもよい。また、上述実施の形態においては、建物の床部の建物防音構造、建物防音施工方法について説明したが、建物の壁部などの防音構造構造、建物防音施工方法にも本発明を適用することができる。また、上述実施の形態においては、Ａ液とＢ液とを混合した発泡固化液を噴射したが、他の発泡固化液を噴射してもよい。また、上述実施の形態においては、紙からなる袋体２１、袋体３１、３２を用いたが、ゴアテックス（商品名）等の防水透湿シートからなる袋体を用いてもよい。すなわち、袋体としては内部に充填する発泡材の発泡圧力により容易に形状を確保することができるフレキシブルな素材からなるものを用いればよい。また、鋼線等の金属線をスパイラル状にしたものの外周部に紙等からなる袋状体を取り付けたものを袋体として用いてもよく、この場合には板体１上に水平鉄筋３ｂを設けたのち、スパイラル状の金属線を縮めた状態から伸ばした状態にして、板体１上に袋体を載置する。また、上述実施の形態においては、袋体２１、袋体３１、３２内に何も挿入しなかったが、給湯用ダクト、給水用ダクト、配線用ダクトを袋体内に挿入した状態で、袋体内に発泡材を充填してもよい。また、上述実施の形態においては、径が同じ袋体２１を平行に設けたが、径が異なる断面円形状の袋体を平行に設けてもよく、この場合径の異なる袋体を上下二段に設けてもよく、径の異なる袋体を水平方向に交互に設けてもよい。また、上述実施の形態においては、袋体２１を平行にのみ設けたが、下段の複数の平行な袋体と上段の複数の平行な袋体とを設け、下段の袋体と上段の袋体とが直交するようにしてもよい。また、上述実施の形態においては、断面円形状の袋体２１、断面が下に凸状の袋体３１、断面が上に凸状の袋体３２を用いたが、断面四角形状の袋体、断面楕円形状の袋体等を用いることができる。
【００１９】
【発明の効果】
本発明に係る建物防音構造、建物防音施工方法においては、板体上に水平鉄筋を設ける作業を行なうときに、何かを損傷しないように注意して作業を行なう必要がないから、施工作業を能率よく行なうことができる。
【図面の簡単な説明】
【図１】本発明に係る建物の床部の建物防音構造を示す断面図である。
【図２】図１に示した建物の床部の建物防音構造の一部を示す拡大断面図である。
【図３】本発明に係る建物の床部の建物防音施工方法の説明図である。
【図４】本発明に係る他の建物の床部の建物防音構造を示す断面図である。
【図５】従来の建物の床部の建物防音構造を示す正断面図である。
【図６】図５に示した建物防音構造を示す側断面図である。
【図７】従来の他の建物の床部の建物防音構造を示す断面図である。
【符号の説明】
１…板体
２…トラス鉄筋
３ｂ…水平鉄筋
２１…袋体
２２…発泡樹脂材
２３…浮上防止ベルト
３１…袋体
３２…袋体
３３…発泡樹脂材
３４…浮上防止ベルト
【図１】
0003611119.tif 000002
【図２】
0003611119.tif 000003
【図３】
0003611119.tif 000004
【図４】
0003611119.tif 000005
【図５】
0003611119.tif 000006
【図６】
0003611119.tif 000007
【図７】
0003611119.tif 000008